(57)【要約】【課題】人が着用したり携帯する物品においてフレキシブル性と低消費電力性を備えつつ、所望の画像を表示できるようにする。【解決手段】携帯装着品は、電気泳動型ディスプレイで構成される表示体を備え、ユーザに携帯または装着される物品である。携帯装着品は、携帯装着品の形状変化を検出する変化検出部を備え、変化検出部の検出結果に応じて、電気泳動型ディスプレイの印加電圧が変更される。本開示は、例えば、携帯装着品等に適用できる。ユーザによって携帯される携帯装着品としては、例えば、バッグ、財布、キーホルダなどがあり、ユーザによって装着される携帯装着品としては、例えば、ヘアアクセサリ、ネクタイ、時計、洋服などがある。【選択図】図１３
2020016895.tif 000002
【特許請求の範囲】
【請求項１】
電気泳動型ディスプレイで構成される表示体を備え、ユーザに携帯または装着される物品である携帯装着品であって、
前記携帯装着品の形状変化を検出する変化検出部を備え、
前記変化検出部の検出結果に応じて、前記電気泳動型ディスプレイの印加電圧が変更される
携帯装着品。
【請求項２】
前記変化検出部は、前記携帯装着品が備えるバッテリの電池容量の変化もさらに検出する
請求項１に記載の携帯装着品。
【請求項３】
前記ユーザの操作を検出する操作検出部を備え、
前記操作検出部で検出された前記ユーザの操作に応じて、前記電気泳動型ディスプレイの印加電圧が変更される
請求項１または２に記載の携帯装着品。
【請求項４】
他の通信装置と無線通信を行う通信部を備え、
前記通信部が受信した受信信号に応じて、前記電気泳動型ディスプレイの印加電圧が変更される
請求項１または２に記載の携帯装着品。
【請求項５】
前記通信部は、前記他の通信装置から、デザインデータを受信し、
前記デザインデータに基づいて前記電気泳動型ディスプレイの印加電圧が変更されることにより、前記表示体の画像が変更される
請求項４に記載の携帯装着品。
【請求項６】
前記通信部は、受信した前記受信信号から電力を抽出し、
抽出された前記電力を用いて、前記電気泳動型ディスプレイの印加電圧が変更される
請求項４または５に記載の携帯装着品。
【請求項７】
前記通信部は、NFC通信により、前記他の通信装置と無線通信を行う
請求項４乃至６のいずれかに記載の携帯装着品。
【請求項８】
前記携帯装着品は、バッグである
請求項１乃至７のいずれかに記載の携帯装着品。
【請求項９】
前記バッグは、多面体形状と平面形状に形状を変更することが可能である
請求項８に記載の携帯装着品。
【請求項１０】
前記電気泳動型ディスプレイの上面に、所定の模様または文字が描かれたフィルムが貼り付けられている
請求項１乃至９のいずれかに記載の携帯装着品。
【請求項１１】
前記表示体は、前記電気泳動型ディスプレイの表面側にカラーフィルタを備える
請求項１乃至１０のいずれかに記載の携帯装着品。
【請求項１２】
前記電気泳動型ディスプレイの印加電圧を制御する駆動制御部を少なくとも含む制御端末が前記表示体と分離されており、前記制御端末で前記表示体を挟み込むことにより、前記制御端末の接続端子が前記電気泳動型ディスプレイの電極層と接続される
請求項１乃至１１のいずれかに記載の携帯装着品。
【請求項１３】
帯状の前記表示体が編み込まれている
請求項１乃至１２のいずれかに記載の携帯装着品。
【請求項１４】
前記電気泳動型ディスプレイは、複数のセグメントを有する
請求項１乃至１３のいずれかに記載の携帯装着品。
【請求項１５】
前記複数のセグメントは、２次元アレイ状に配列されている
請求項１４に記載の携帯装着品。
【請求項１６】
前記表示体は、前記電気泳動型ディスプレイの裏面側でも表示を行う
請求項１乃至７、１４、または、１５のいずれかに記載の携帯装着品。
【請求項１７】
前記表示体は、前記電気泳動型ディスプレイの裏面側にカラーフィルタを備える
請求項１６に記載の携帯装着品。
【請求項１８】
ユーザに携帯または装着される物品である携帯装着品と、端末装置とからなり、
前記携帯装着品は、
前記携帯装着品の形状変化を検出する変化検出部と、
前記端末装置と無線通信を行う通信部と、
電気泳動型ディスプレイで構成される表示体と
を備え、
前記表示体は、前記通信部により受信されたデザインデータに基づく表示、または、前記変化検出部の検出結果に応じた表示を行い、
前記端末装置は、前記デザインデータを前記通信部に送信する
通信システム。
【請求項１９】
前記端末装置は、前記デザインデータを作成するデザインデータ作成部をさらに備える
請求項１８に記載の通信システム。
【請求項２０】
前記デザインデータ作成部は、前記携帯装着品のセグメントデータに基づいて、前記デザインデータを作成する
請求項１９に記載の通信システム。
【発明の詳細な説明】
【技術分野】
【０００１】
本開示は、携帯装着品及び通信システムに関し、特に、フレキシブル性と低消費電力性を備えつつ、所望の画像を表示できるようにする携帯装着品及び通信システムに関する。
【背景技術】
【０００２】
人が着用する洋服にディスプレイを取り付けることにより、何らかの情報を表示することができるようにしたものがある（例えば、特許文献１乃至３参照）。また、ディスプレイの一つとして電気泳動型ディスプレイがある（例えば、特許文献４,５参照）。
【先行技術文献】
【特許文献】
【０００３】
【特許文献１】特開２００１−３２１０５号公報
【特許文献２】特開２００３−１７７６９３号公報
【特許文献３】特開２００４−１４５１１９号公報
【特許文献４】特表２００３−５２６８１７号公報
【特許文献５】特開２０１２−２２２９６号公報
【発明の概要】
【発明が解決しようとする課題】
【０００４】
人が着用したり携帯する物品のディスプレイとして、ファッション性を満足させるためには、ディスプレイのフレキシブル性が重要と考えられる。また、人が着用したり携帯する場合には、電源を確保することの困難性から、消費電力が低いことも重要と考えられる。
【０００５】
本開示は、このような状況に鑑みてなされたものであり、人が着用したり携帯する物品においてフレキシブル性と低消費電力性を備えつつ、所望の画像を表示できるようにするものである。
【課題を解決するための手段】
【０００６】
本開示の第１の側面の携帯装着品は、電気泳動型ディスプレイで構成される表示体を備え、ユーザに携帯または装着される物品であって、前記携帯装着品の形状変化を検出する変化検出部を備え、前記変化検出部の検出結果に応じて、前記電気泳動型ディスプレイの印加電圧が変更される。
【０００７】
本開示の第１の側面の携帯装着品においては、電気泳動型ディスプレイで構成される表示体が設けられ、ユーザに携帯または装着される。前記携帯装着品には、その形状変化を検出する変化検出部が設けられ、前記変化検出部の検出結果に応じて、前記電気泳動型ディスプレイの印加電圧が変更される。
【０００８】
本開示の第２の側面の通信システムは、ユーザに携帯または装着される物品である携帯装着品と、端末装置とからなり、前記携帯装着品は、前記携帯装着品の形状変化を検出する変化検出部と、前記端末装置と無線通信を行う通信部と、電気泳動型ディスプレイで構成される表示体とを備え、前記表示体は、前記通信部により受信されたデザインデータに基づく表示、または、前記変化検出部の検出結果に応じた表示を行い、前記端末装置は、前記データを前記通信部に送信する。
【０００９】
本開示の第２の側面の通信システムにおいては、端末装置から送信されたデータが携帯装着品の通信部で受信され、電気泳動型ディスプレイで構成される表示体において、受信されたデータに基づく表示が行われる。または、携帯装着品の形状変化が検出され、電気泳動型ディスプレイで構成される表示体において、形状変化の検出結果に応じた表示が行われる。
【発明の効果】
【００１０】
本開示の第１及び第２の側面によれば、人が着用したり携帯する物品においてフレキシブル性と低消費電力性を備えつつ、形状変化に応じて所望の画像を表示できる。
【００１１】
なお、ここに記載された効果は必ずしも限定されるものではなく、本開示中に記載されたいずれかの効果であってもよい。
【図面の簡単な説明】
【００１２】
【図１】本開示に係る携帯装着品の第１の実施の形態の構成例を示すブロック図である。
【図２】表示体の構造例を示す図である。
【図３】携帯装着品がバングルである場合の表示例を示す図である。
【図４】携帯装着品がバングルである場合の表示例を示す図である。
【図５】携帯装着品としてのバッグの斜視図である。
【図６】携帯装着品としてのバッグの正面図及び側面図である。
【図７】携帯装着品としてのバッグの展開図である。
【図８】バッグの構成例を示すブロック図である。
【図９】アクション検出処理を説明するフローチャートである。
【図１０】アクション検出処理による表示デザインの変更例を示す図である。
【図１１】アクション検出処理による表示デザインの変更例を示す図である。
【図１２】本開示に係る携帯装着品の第２の実施の形態の構成例を示すブロック図である。
【図１３】状態変化検出処理を説明するフローチャートである。
【図１４】携帯装着品としてのバッグのその他の構成例１を示す図である。
【図１５】携帯装着品としてのバッグのその他の構成例２を示す図である。
【図１６】携帯装着品としてのバッグのその他の構成例２を示す図である。
【図１７】携帯装着品としてのバッグのその他の構成例２を示す図である。
【図１８】図１７の表示を可能とする表示体の構成例を説明する図である。
【図１９】図１７の表示を可能とする表示体の構成例を説明する図である。
【図２０】図１７の表示を可能とする表示体の構成例を説明する図である。
【図２１】図１７の表示を可能とする表示体の構成例を説明する図である。
【図２２】携帯装着品としてのバッグのさらにその他の構成例３を示す図である。
【図２３】図２２のバッグの表示部を説明する図である。
【図２４】携帯装着品としての蝶ネクタイの例を示す図である。
【図２５】本開示に係る携帯装着品の第３の実施の形態の構成例を示すブロック図である。
【図２６】第３の実施の形態に係る携帯装着品の使用例を説明する図である。
【図２７】第３の実施の形態に係る携帯装着品の使用例を説明する図である。
【図２８】携帯装着品が洋服である場合の表示例を示す図である。
【図２９】表示体の形状例を示す図である。
【図３０】表示体を編み込んで構成した携帯装着品の例を示す図である。
【図３１】本開示に係る携帯装着品の第４の実施の形態の構成例を示すブロック図である。
【図３２】第４の実施の形態に係る携帯装着品の使用例を説明する図である。
【図３３】第４の実施の形態に係る携帯装着品の使用例を説明する図である。
【図３４】デザイン提供システムの構成例を示す図である。
【図３５】デザイン提供処理を説明するフローチャートである。
【図３６】ユーザがデザインデータを作成する例を説明する図である。
【図３７】ユーザがデザインデータを作成する例を説明する図である。
【図３８】端末装置の構成ブロック図である。
【図３９】立体形状の表示体の製造方法を説明する図である。
【図４０】図３８の製造方法を用いた携帯装着品の例を示す図である。
【図４１】携帯装着品がネクタイである場合のアプリケーション例を説明する図である。
【図４２】携帯装着品がネクタイである場合のアプリケーション例を説明する図である。
【発明を実施するための形態】
【００１３】
以下、本開示を実施するための形態（以下、実施の形態という）について説明する。なお、説明は以下の順序で行う。
１．第１の実施の形態（スイッチ部を有する携帯装着品の構成例）
２．第２の実施の形態（センサを有する携帯装着品の構成例）
３．第３の実施の形態（コントロール端末が分離された携帯装着品の構成例）
４．第４の実施の形態（通信部を有する携帯装着品の構成例）
５．立体形状の表示体の例
６．各種の物品に適用したアプリケーション例
【００１４】
＜１．第１の実施の形態＞
＜携帯装着品の構成例＞
図１は、本開示に係る携帯装着品の第１の実施の形態の構成例を示すブロック図である。
【００１５】
図１に示される携帯装着品１は、ユーザ（人）によって携帯または装着される物品であり、画像を変更可能な表示体（表示部）１１と、スイッチ部１２、駆動制御部１３、及びバッテリ１４とを備える。
【００１６】
ユーザによって携帯される携帯装着品１としては、例えば、鞄（バッグ）、財布、スマートフォンケース、キーホルダ、バッグに付けるチャーム（小物）、うちわ、定期入れ、カードケース、などがある。一方、ユーザによって装着される携帯装着品１としては、ピアス、イヤリング、ヘアアクセサリ、ベルト、メガネ、バングル（ブレスレット）、ネクタイ（蝶ネクタイも含む）、タイピン、サスペンダー、マフラー、スカーフ、ストール、ショール、靴、時計、Tシャツなどの洋服、スマートフォンやヘッドホンなどのモバイル機器、モバイル機器ケース（カバー）などがある。
【００１７】
表示体１１は、曲面形状など、形態を柔軟に変形することが可能なフレキシブルディスプレイで構成され、駆動制御部１３からの制御に基づき、所定の表示を行う。より具体的には、表示体１１は、いわゆる電子ペーパやEPDとも呼ばれる、電気泳動型ディスプレイ（Electrophoretic Display）で構成されている。
【００１８】
電気泳動型ディスプレイの特徴は、低消費電力であることである。即ち、電気泳動型ディスプレイは、LCD (Liquid Crystal Display)で必要なバックライトが不要である。また、電気泳動型ディスプレイは、表示を切り替えるときのみ電流を流せばよく、表示を保持するために電流を流す必要がない。そのため、電気泳動型ディスプレイは、LCDなどと比較して、極めて低い消費電力で表示が可能である。
【００１９】
また、電気泳動型ディスプレイの他の特徴は、フレキシブル性である。即ち、電気泳動型ディスプレイは、極薄型のフィルム状であり、ある程度自由に形状を変形させることができる。
【００２０】
スイッチ部１２は、例えば、ボタンスイッチ、スライドスイッチなどで構成され、ユーザによるオンオフ操作を検出し、検出された操作に対応して、オン状態またはオフ状態の状態信号を駆動制御部１３に供給する。スイッチ部１２として表示体１１の表面にタッチセンサを備え、ユーザのタッチ（接触）を、オンオフ操作として検出することもできる。
【００２１】
駆動制御部１３は、バッテリ１４から供給される電力を用いて、スイッチ部１２から供給される状態信号に基づいて、表示体１１を駆動する。駆動制御部１３は、例えば、マイクロコンピュータ、CPUなどを用いて、表示体１１としての電気泳動型ディスプレイを駆動するドライバソフトウエアを実行することにより実現することができる。
【００２２】
＜表示部の構成例＞
図２は、フレキシブルディスプレイである表示体１１の構造例を示す図である。
【００２３】
表示体１１は、マイクロカプセル充填層３１と透明電極層３２を、透明樹脂保護層３３と３４で挟み込んだ構造を有し、ユーザに視認される表面側である透明樹脂保護層３３の上側には、赤色のカラーフィルタ３５がさらに積層されている。また、表面側とは反対側の透明樹脂保護層３４の下側には、電極層３６と透明樹脂保護層３７がさらに積層されている。電極層３６は、例えば、モリブデン等の金属電極膜で構成される。
【００２４】
なお、電極層３６は、透明電極層３２と同様に、透明電極層（例えば、ITO）とすることもできる。電極層３６として透明電極層を使用した場合、例えば、表面側の色が白色で、裏面側の色が黒色となるなど、表面側と裏面側で異なる色が見えるようになる。このように、表示体１１の表面側と裏面側の両方から視認可能なリバーシブル構造にすることで、ファッション性を向上させる効果がある。電極層３６として透明電極層を使用した場合には、電極層３６と透明樹脂保護層３７の間、または、透明樹脂保護層３７の上に、表面側と同様にカラーフィルタを形成して、所望の色が表示されるようにすることができる。
【００２５】
この表示体１１には、２つの接続端子４１A及び４１Bが接続されている。具体的には、一方の接続端子４１Aが、マイクロカプセル充填層３１に接する透明電極層３２と接続されており、他方の接続端子４１Bが、電極層３６と接続されている。
【００２６】
図２では、接続端子４１A及び４１Bが、所定の層（例えば、カラーフィルタ３５）を貫通した構造となっているがこれに限定される必要はなく、一般的なディスプレイで用いられるような、例えばフレキシブルプリント基板などを用いて駆動制御部１３と表示体１１を接続する方法を用いてもよい。
【００２７】
マイクロカプセル充填層３１では、単一もしくは複数の粒子を含むマイクロカプセルが、透明な溶液内に充填されている。例えば、マイクロカプセル充填層３１のマイクロカプセル内に白色粒子と黒色粒子の２つの粒子が充填されている場合、駆動制御部１３の制御により、例えば、透明電極層３２に正の電圧が印加されると、マイクロカプセル充填層３１の透明電極層３２側に、負に帯電されている白色粒子が集まり、表面側（カラーフィルタ３５側）に、正に帯電されている黒色粒子が集まることにより、黒（色）が表示される。反対に、透明電極層３２に負の電圧が印加されると、マイクロカプセル充填層３１の透明電極層３２側に黒色粒子が集まり、表面側に白色粒子が集まることにより、赤（色）が表示される。
【００２８】
従って、表示体１１は、駆動制御部１３の制御により、表示領域全体を赤色または黒色に切り替える表示が可能である。
【００２９】
なお、図２の構成では、表示体１１の最上面に、赤色のカラーフィルタ３５が積層されているため、赤色または黒色の表示となるが、カラーフィルタ３５が積層されない場合は、白色または黒色のモノクロ表示となる。
【００３０】
さらに、例えば、緑色のカラーフィルタ３５を表示体１１の最上面に積層した場合には、緑色または黒色の表示となる。
【００３１】
また、電気泳動型ディスプレイは、駆動電圧を複数段階に変えることにより、白色と黒色の中間階調を所定の階調数（例えば、１６階調）で表現することもできる。したがって、中間階調制御を採用した場合には、赤色のカラーフィルタ３５が積層されている表示体１１では、赤色と黒色の中間濃度の階調表示も可能である。
【００３２】
なお、表示体１１は、上述したマイクロカプセル方式に限定される必要はなく、例えば、特許文献４や５などに開示された方式の表示体を用いてもよい。さらに、電子ペーパの表示方式として知られる電気泳動型以外の他の方式によるものでもよい。即ち、本開示の表示体１１としては、紙の長所とされる視認性や携帯性を保った表示媒体のうち、表示内容を電気的に書き換えることができる電子ペーパであれば方式は限定されない。
【００３３】
＜バングルへの適用例＞
図３は、携帯装着品１がバングルである場合の表示例を示している。
【００３４】
ユーザが不図示のスイッチ部１２を操作することにより、携帯装着品１としてのバングル１Aが、図３に示されるように、赤色または黒色になる。
【００３５】
図３は、表示体１１の表示領域全体が１つの制御単位領域（セグメント）である場合の例であるが、例えば、制御単位領域を２つにすることにより、図４に示されるような、ストライプや水玉などの模様形状も可能である。制御単位領域は、３つ以上でもよく、図４のような繰り返し模様である必要もない。
【００３６】
さらに言えば、電気泳動型ディスプレイでは、表示領域全体を２次元アレイ状に複数の画素に分割し、分割した画素を制御単位としてオンオフするアクティブマトリックス制御とすることも可能である。各画素には、LCD等と同様に、R,G,またはBのカラーフィルタ３５を配置して、アクティブマトリックス制御することにより、フルカラーで任意の画像を表示することができる。
【００３７】
＜バッグへの適用例＞
次に、携帯装着品１がバッグである場合の例について説明する。
【００３８】
図５は、携帯装着品１としてのバッグ１Fの斜視図であり、図６のAは、バッグ１Fの左側面図、図６のBは、バッグ１Fの正面図、図６のCは、バッグ１Fの右側面図である。
【００３９】
バッグ１Fは、三角形状または四角形状の面１２１が組み合わされて連接された多面体形状を有する。三角形状または四角形状の面１２１それぞれには、Eペーパ素子１１ａ（図８）が貼り付けられており、各面１２１が独立して白色または黒色の表示を行う。
【００４０】
バッグ１Fは、所定の面１２１と面１２１の接続を切り離すことにより、図７に示されるように、平面形状に変形することができる。図７は、バッグ１Fを平面形状に変形させたときの展開図である。分離可能な面１２１と面１２１は、例えば、マグネット等で接続されている。分離可能ではない面１２１と面１２１の接続部は、多面体形状と平面形状に変形可能に、所定の範囲内で折り曲げ可能とされている。
【００４１】
バッグ１Fは、図５のように立体形状に組み立てられた状態で使用される。一方、収納しておくときなどバッグ１Fを使用しない場合には、バッグ１Fは、図７のように平面形状に変形される。これにより、バッグとして使用しない場合のスペース効率や携帯性を向上させることができる。
【００４２】
＜バッグのブロック図＞
図８は、バッグ１Fのより詳細な構成例を示すブロック図である。
【００４３】
図８においては、図１と対応する部分については同一の符号を付してあり、上述した説明と重複する部分の説明は適宜省略する。
【００４４】
表示体１１は、複数のEペーパ素子１１ａで構成されている。１つのEペーパ素子１１ａは、図７の１つの面１２１に対応する。駆動制御部１３は、複数のEペーパ素子１１ａそれぞれに印加する印加電圧を制御する。これにより、バッグ１Fの複数の面１２１の色が独立に変更することができる。
【００４５】
スイッチ部１２は、バッグ１Fを構成する複数の面１２１のうちの所定の面１２１の裏側、換言すれば、立体形状に組立てたときのバッグ１Fの内側に設けられている。
【００４６】
＜アクション検出処理＞
図９は、ユーザのボタン操作を検出して、バッグ１Fの各面１２１の表示を変更するアクション検出処理のフローチャートである。
【００４７】
アクション検出処理では、初めに、ステップＳ３１において、駆動制御部１３は、スイッチ部１２から供給される信号に基づいて、ユーザ操作が検出されたかを判定する。
【００４８】
例えば、スイッチ部１２がボタンスイッチで構成されているとして、バッグ１Fでは、ボタンスイッチを押下する操作、一定時間（例えば、３秒）長押しする操作など、複数種類のユーザ操作が予め決定されている。ユーザは、所定のユーザ操作を行うことで、表示の変更をバッグ１Fに指示することができる。
【００４９】
ステップＳ３１では、所定のユーザ操作が検出されたと判定されるまで、ステップＳ３１の処理が繰り返される。
【００５０】
そして、ステップＳ３１で、所定のユーザ操作が検出されたと判定された場合、処理はステップＳ３２に進み、駆動制御部１３は、バッグ１Fを構成する複数の面１２１それぞれに対応する複数のEペーパ素子１１ａを駆動制御し、バッグ１Fの表示デザインを変更する。
【００５１】
図１０及び図１１は、バッグ１Fの表示デザインの変更例を示している。
【００５２】
例えば、スイッチ部１２を押下するユーザ操作が検出された場合、駆動制御部１３は、図１０に示されるように、バッグ１Fの全ての面１２１が白色または黒色となるように表示を変更する。バッグ１Fの現在の状態が全ての面１２１が白色の表示である場合には、駆動制御部１３は、バッグ１Fの全ての面１２１が黒色となるように表示を変更し、バッグ１Fの現在の状態が全ての面１２１が黒色の表示である場合には、バッグ１Fの全ての面１２１が白色となるように表示を変更する。
【００５３】
また例えば、スイッチ部１２を一定時間、長押しするユーザ操作が検出された場合、駆動制御部１３は、図１１に示されるように、平面形状から立体形状（多面体形状）に組み立てる組み立て手順を案内するように、バッグ１Fを構成する複数の面１２１のうち、接続する面１２１を順番に示すように表示を変更する。このような表示機能を有することで、直感的にバッグ１Fを組み立てることが可能となり、組み立て手順を説明する説明書が不要となる。
【００５４】
ステップＳ３２の処理が終了すると、処理はステップＳ３１に戻り、上述した処理が繰り返される。
【００５５】
以上のように、バッグ１Fでは、ユーザの操作に応じた表示デザインの変更を行うことができる。
【００５６】
＜２．第２の実施の形態＞
＜バッグのブロック図＞
図１２は、バッグ１Fのその他の構成例を示すブロック図である。
【００５７】
図１２においても、図１及び図８と対応する部分については同一の符号を付してあり、上述した説明と重複する部分の説明は適宜省略する。
【００５８】
図１２に示されるバッグ１Fの構成では、スイッチ部１２に代えて、センサ１４１が設けられている点が、図８に示したバッグ１Fの構成と異なる。
【００５９】
センサ１４１は、バッグ１Fの所定の状態を検出するセンサであり、検出結果を表すセンサ信号を駆動制御部１３に供給する。駆動制御部１３は、センサ１４１から供給されるセンサ信号に基づいて、表示体１１の複数のEペーパ素子１１ａそれぞれを駆動制御する。即ち、駆動制御部１３は、センサ１４１で検出されたバッグ１Fの状態に基づいて、バッグ１Fの複数の面１２１の表示を変更する。
【００６０】
＜状態変化検出処理＞
図１３は、バッグ１Fの状態の変化を検出して、バッグ１Fの各面１２１の表示を変更する状態変化検出処理のフローチャートである。
【００６１】
状態変化検出処理では、初めに、ステップＳ５１において、駆動制御部１３は、センサ１４１から供給されるセンサ信号に基づいて、バッグ１Fの状態変化を検出したかを判定する。
【００６２】
ステップＳ５１で、バッグ１Fの状態変化が検出されないと判定された場合、処理はステップＳ５２に進み、駆動制御部１３は、一定時間、待機する。その後、処理がステップＳ５１に戻される。ステップＳ５１及びＳ５２の処理により、バッグ１Fの状態変化が一定時間間隔で確認される。
【００６３】
そして、ステップＳ５１で、バッグ１Fの状態変化が検出されたと判定された場合、処理はステップＳ５３に進み、駆動制御部１３は、バッグ１Fを構成する複数の面１２１それぞれに対応する複数のEペーパ素子１１ａを駆動制御し、バッグ１Fの表示デザインを変更する。
【００６４】
例えば、バッグ１Fには、センサ１４１として、バッグ１Fの形状が平面形状であるか、または、立体形状であるかを検出する接続面検出センサを設けることができる。駆動制御部１３は、状態変化としてバッグ１Fが平面形状から立体形状に組み立てられたことを検出した場合、バッグ１Fの全ての面１２１を、白色から黒色となるように表示を変更する。一方、バッグ１Fが立体形状から平面形状に展開されたことを検出した場合には、駆動制御部１３は、黒色から白色となるように表示を変更する。なお、白色及び黒色の表示は逆でもよい。
【００６５】
また例えば、バッグ１Fには、センサ１４１として、バッテリ１４の電池容量（残電圧）を検出する容量検出センサを設けることができる。駆動制御部１３は、状態変化として、バッテリ１４の電池容量が所定レベル以下となったことを検出した場合、例えば、バッグ１Fを構成する全ての面１２１のうちの所定の面１２１（例えば、四角形状の面１２１）だけ、他の面１２１と表示色を変更するなど、バッテリ１４の電池容量が所定レベル以下となったことを表す表示に変更する。あるいは、所定の順番で面１２１の表示色が変更する場合の時間間隔が、バッテリ１４の電池容量が低下するほどゆっくりになるなど、電池容量の低下に応じて変化のスピードが変わるように表示デザインを変更してもよい。
【００６６】
また例えば、バッテリ１４が、太陽電池など自己充電が可能な２次電池である場合、駆動制御部１３は、状態変化としてバッテリ１４の電池容量を検出し、検出された電池容量に応じてバッグ１Fを構成する複数の面１２１の表示パターンを変更したり、所定の面１２１の表示階調（中間階調）を変更する。ここで、表示パターンとは、バッグ１Fを構成する複数の面１２１それぞれの表示色（白色、黒色、中間階調のグレイ色）の組み合わせで構成される柄または模様を表す。
【００６７】
なお、センサ１４１は、状態の変化を検出するものではなく、所定の状態を検出するものでもよい。
【００６８】
例えば、センサ１４１が、立体形状のときバッグ１Fの中身の重さを検出する重量検出センサである場合、駆動制御部１３は、バッグ１Fの現在の状態としてのバッグ１Fの中身の重さを検出し、検出された重さに応じてバッグ１Fを構成する複数の面１２１の表示パターンを変更したり、所定の面１２１の表示階調（中間階調）を変更する。
【００６９】
例えば、センサ１４１が、バッグ１Fの周辺の明るさを検出する明るさ検出センサである場合、駆動制御部１３は、バッグ１F周辺の現在の明度を検出し、検出された明度に応じてバッグ１Fを構成する複数の面１２１の表示パターンを変更したり、所定の面１２１の表示階調（中間階調）を変更する。これにより、例えば、昼と夜とで、バッグ１Fの表示デザインを変更する制御を行うことができる。
【００７０】
例えば、センサ１４１が、バッグ１Fの周辺の温度を検出する温度検出センサである場合、駆動制御部１３は、バッグ１F周辺の現在の温度を検出し、検出された温度に応じてバッグ１Fを構成する複数の面１２１の表示パターンを変更したり、所定の面１２１の表示階調（中間階調）を変更する。
【００７１】
例えば、センサ１４１が、バッグ１Fの周辺の湿度を検出する湿度検出センサである場合、駆動制御部１３は、バッグ１Fの現在の湿度を検出し、検出された湿度に応じてバッグ１Fを構成する複数の面１２１の表示パターンを変更したり、所定の面１２１の表示階調（中間階調）を変更する。
【００７２】
例えば、センサ１４１が、バッグ１Fの周辺のにおいを検出するにおい検出センサである場合、駆動制御部１３は、バッグ１F周辺の現在のにおいを検出し、検出されたにおいに応じてバッグ１Fを構成する複数の面１２１の表示パターンを変更したり、所定の面１２１の表示階調（中間階調）を変更する。
【００７３】
例えば、センサ１４１が、バッグ１Fへの接触（タッチ）を検出するタッチセンサである場合、駆動制御部１３は、バッグ１Fへのタッチを検出し、ユーザがタッチしたり、撫でる操作を行った場合に、バッグ１Fを構成する複数の面１２１の表示パターンを変更したり、所定の面１２１の表示階調（中間階調）を変更する。
【００７４】
例えば、センサ１４１が、GPS (Global Positioning System)などの、バッグ１Fの位置を検出する位置検出センサである場合、駆動制御部１３は、バッグ１Fの現在位置を検出し、バッグ１Fが予め登録された所定の場所（の近く）にいる場合に、バッグ１Fを構成する複数の面１２１の表示パターンを変更したり、所定の面１２１の表示階調（中間階調）を変更する。
【００７５】
例えば、センサ１４１が、バッグ１Fの位置変化を検出する加速度センサである場合、駆動制御部１３は、バッグ１Fの位置変化を検出し、例えば、バッグ１Fを持っているユーザが走ったり、バッグ１Fが投げられたりしてバッグ１Fの位置変化が検出された場合に、バッグ１Fを構成する複数の面１２１の表示パターンを変更したり、所定の面１２１の表示階調（中間階調）を変更する。
【００７６】
例えば、センサ１４１が、時間（時刻）をカウントするカウンタである場合、駆動制御部１３は、状態変化として時間の経過を検出し、一定時間ごとにバッグ１Fを構成する複数の面１２１の表示パターンを変更したり、所定の面１２１の表示階調（中間階調）を変更する。昼と夜とで、バッグ１Fを構成する複数の面１２１の表示パターンを変更してもよい。
【００７７】
また、駆動制御部１３は、時間経過に応じて、バッグ１Fを構成する複数の面１２１の１つ以上を、ランダムに、あるいは、所定の順番で選択して表示色を変化させることで、アニメーションのような表示や、生き物のような印象を与える表示を行うこともできる。
【００７８】
例えば、バッグ１Fが、時間経過に応じて、バッグ１Fを構成する複数の面１２１の１つ以上を、ランダムに、あるいは、所定の順番で選択して表示色を変化させる動作モードをディスプレイモードとして備えた場合、バッグ１Fをタペストリーのように平面形状にした状態で壁に掛けてディスプレイモードを実行すれば、バッグ１Fを壁掛けオブジェとして利用することができる。ディスプレイモードでは、時間経過ではなく、例えばバッグ１Fの周辺の明るさなど、上述した各種のセンサ１４１の検出結果に応じて、表示色を変化させるようにしてもよい。
【００７９】
＜バッグのその他の構成例１＞
図１４は、携帯装着品１としてのバッグのその他の例を示している。
【００８０】
図５等で示したバッグ１Fは、立体形状と平面形状に形状変更が可能な構造を有するものであったが、携帯装着品１としてのバッグの種類は、この例に限られない。例えば、図１４に示されるような、持ち手の付いたバッグ（トートバッグ）１Gでもよい。
【００８１】
バッグ１Gは、Eペーパ素子１１ａが貼り付けられた三角形状または四角形状の面１５１が連接されて袋状に成形されている。このようなバッグ１Gにおいても、上述したバッグ１Fと同様に、図９を参照して説明したアクション検出機能や、図１３を参照して説明した状態変化検出機能を持つ構成とすることができる。
【００８２】
なお、バッグ１F及びバッグ１Gでは、Eペーパ素子１１ａにより表示色が変更される面１２１または１５１の形状が、三角形か、または、四角形のどちらかであったが、表示面を構成する各面の形状は、三角形及び四角形に限定されない。例えば、六角形や八角形などでもよい。
【００８３】
＜バッグのその他の構成例２＞
図１５は、バッグのその他の例であり、持ち手の付いていないバッグ（クラッチバッグ）１Kの例である。
【００８４】
バッグ１Kの本体表面には表示体１１が貼り付けられており、所定の画像が表示可能である。
【００８５】
図１５では、表示体１１に、成長度の低い複数本の木の画像が表示されている。
【００８６】
バッグ１Kは、図１３で説明した状態変化検出処理として、例えば、バッグ１Kの開閉を検出し、開いた状態が検出されると、図１６に示されるように、閉状態において表示体１１に表示されている複数本の木が徐々に成長していく画像に変化する。
【００８７】
また例えば、駆動制御部１３は、表示体１１に、図１５に示した木よりも葉が生い茂っている木の画像を表示させ、バッグ１Kが開いた状態が検出されると、木が風になびいたり、木の葉がゆれ動く画像に変化させることができる。
【００８８】
このように、バッグ１Kの表示体１１には、図１３で説明した状態変化検出処理の検出結果や、図９のアクション検出処理の検出結果に応じたトランジション表現を行わせることができる。
【００８９】
図１７は、バッグ１Kのその他の画像表示例である。
【００９０】
図１７のAに示されるバッグ１Kの表示体１１には、黒と白の縦縞模様の画像が表示されている。
【００９１】
図１７のBに示されるバッグ１Kの表示体１１には、黒と白の横縞模様の画像が表示されている。
【００９２】
図１７のBに示されるバッグ１Kの表示体１１には、黒と白の格子模様の画像が表示されている。
【００９３】
このようなシンプルな模様は、２次元アレイ状に配列した微細な画素を個別に駆動するアクティブマトリックス制御でも勿論可能であるが、例えば、図１８に示されるように、同一サイズの正方形のセグメントを２ｘ２に配置し、それらを独立に駆動可能な４セグメントのブロックを、行列状に繰り返し配列させる構成により実現することができる。
【００９４】
４セグメントのブロックを構成する各セグメントを、図１８に示されるようにセグメント１乃至４として、例えば、行列状に繰り返し配列された各ブロックのセグメント１と４を黒、セグメント２と３を白に制御すると、図１９のAに示される市松模様となる。
【００９５】
また、各ブロックのセグメント１と３を黒、セグメント２と４を白に制御すると、図１９のBに示される縦縞模様となり、セグメント１と２を黒、セグメント３と４を白に制御すると、図１９のCに示される横縞模様となる。セグメント１を黒、セグメント２乃至４を白に制御すると、図１９のDに示される白の格子柄となり、反対に、セグメント１を白、セグメント２乃至４を黒に制御すると、図１７のCに示した黒の格子柄となる。なお、図１９のB、C、及びDでは、説明の便宜上、セグメントの境界を破線で示しているが、実際の表示では、このような境界は現れない。
【００９６】
図１８に示した複数のブロックの行列状配列構成は、１枚のシート状の表示体１１で構成してもよいが、図２０に示される４セグメントの単位シート２０１を行方向と列方向に複数連結することにより構成することもできる。
【００９７】
図２０の単位シート２０１は、その外周部に、少なくとも２つの接続端子２０２が設けられている。接続端子２０２は、隣りの単位シート２０１と連結する機能と、４つのセグメント１乃至４を駆動する４本の制御信号線の入出力部としての機能を有している。隣接する単位シート２０１どうしが、接続端子２０２により連結されることにより、連結された複数の単位シート２０１の４本の制御信号線が、セグメント１乃至４のセグメントごとに直列に接続される。
【００９８】
連結された複数の単位シート２０１のうちの、一方の端の１枚の単位シート２０１の接続端子２０２から、セグメント１乃至４を制御する制御信号を入力させ、他方の端の１枚の単位シート２０１の接続端子２０２から、セグメント１乃至４を制御する制御信号を出力させることで、表示制御が可能となる。
【００９９】
図２０の単位シート２０１では、上下左右の各辺に１個ずつ、合計４個の接続端子２０２が設けられているが、接続端子２０２は、入力側と出力側の少なくとも２個あればよい。また、接続端子２０２は脱着可能に構成し、連結方向に応じて不要となる接続端子２０２は取り外してもよい。
【０１００】
上述した例では、単位シート２０１を平面方向のみに連結した構成について説明したが、例えば、図２１に示されるように、単位シート２０１の中心部にも接続端子２０２（不図示）を設け、単位シート２０１どうしの一部を重ねて連結可能に構成することも可能である。
【０１０１】
図１８乃至図２１の例は、単位シート２０１の形状、及び、単位シート２０１に含まれる各セグメントの形状が四角形（正方形）である例について説明したが、これらの形状は、四角形に限られず、その他の形状でもよいし、複数の形状の組合せでもよい。また、単位シート２０１に含まれるセグメントの個数は、上述した４個に限らず、２または３個でもよいし、５個以上でもよい。
【０１０２】
＜バッグのその他の構成例３＞
図２２は、携帯装着品１としてのバッグのさらにその他の例を示している。
【０１０３】
図２２に示されるバッグ１Hは、ボストンバッグやセカンドバッグの形状を有し、側面に、画像を変更可能な表示部１６１を有する。
【０１０４】
表示部１６１は、その表示領域全体を２次元アレイ状に複数の画素に分割し、その分割された画素を制御単位としてオンオフするアクティブマトリックス制御の電気泳動型ディスプレイ（表示体１１）で構成される。これにより、図２２に示されるように、表示部１６１に、格子パターンや花柄パターンなど所定の表示デザインを表示することができる。
【０１０５】
あるいはまた、表示部１６１は、図２３に示されるように、その表示領域全体を１つの表示制御単位（セグメント）とした表示体１１の上面に、ロゴ、マーク、記号、絵、図、若しくは図形などの所定の模様または文字が描かれたフィルム１６２を貼り付けて構成されたものとしてもよい。この場合、表示体１１自体は、印加電圧に応じて、白色、黒色、または中間階調の表示のみを行い、表示体１１の表示色の変化に応じて、表示部１６１の画像が変化する。なお、フィルム１６２は、着色されたカラーフィルムでもよい。
【０１０６】
＜蝶ネクタイへの適用例＞
図２４は、携帯装着品１としての蝶ネクタイ１Jの例を示している。
【０１０７】
図２４に示される蝶ネクタイ１Jでは、ユーザが装着したときに相手側に視認される前面部分が、表示部１８１となっている。
【０１０８】
表示部１８１は、図２２で示したバッグ１Hの表示部１６１と同様に、アクティブマトリックス制御の電気泳動型ディスプレイ、または、図２３で示した１セグメントの電気泳動型ディスプレイと柄模様のフィルムの積層構造とすることができる。
【０１０９】
蝶ネクタイ１Jにおいても、上述したバッグ１Fと同様に、図９を参照して説明したアクション検出機能や、図１３を参照して説明した状態変化検出機能を持つ構成とすることができる。
【０１１０】
また、蝶ネクタイ１Jの表示部１８１は、凹凸模様を付けて成形したり、図３０のBを参照して後述するように表示体１１を編み込むことにより、３次元的な質感が表現されてもよい。なお、携帯装着品１の適用例としては、蝶ネクタイ１Jに限定されず、ネクタイでもよいことは言うまでもない。
【０１１１】
＜３．第３の実施の形態＞
＜携帯装着品の構成例＞
図２５は、本開示に係る携帯装着品の第３の実施の形態の構成例を示すブロック図である。
【０１１２】
携帯装着品１は、図２５に示されるように、表示体１１と、それを駆動制御する側のコントロール端末６１とを別々に分離して、ユーザに提供することができる。より具体的には、図２６左側に示されるように、シート状の表示体１１とともに、それとは別にコントロール端末６１が提供される。
【０１１３】
電気泳動型ディスプレイを用いた表示体１は、上述したように、素材が柔らかくフレキシブル性があるため、ユーザ自身が、はさみなどで自由に、所望の形状に裁断することが可能である。
【０１１４】
ユーザは、図２６中央に示されるように、シート状の表示体１１をはさみ等で裁断し、所望の形状に成形することができる。そして、コントロール端末６１を所定の位置に装着することにより、コントロール端末６１による表示体１１の表示制御が可能となり、図２６右側に示されるように、色の変更が可能となる。
【０１１５】
コントロール端末６１は、図２７に示されるようなクリップ形状とすることができる。そして、クリップ形状のコントロール端末６１で表示体１１を挟み込んだときに、図２に示したように、一方の接続端子４１Aが透明電極層３２と接続され、他方の接続端子４１Bが電極層３６と接続されるようにすることで、誰でも簡単に、コントロール端末６１を表示体１１に装着することができる。
【０１１６】
クリップ形状のコントロール端末６１で挟み込むことができる表示体１１の領域が、表示体１１の周辺部など所定の領域に限定される場合には、表示体１１の透明電極層３２と電極層３６との間に、絶縁シートなどを予め挿入しておいてもよい。
【０１１７】
なお、シート状の表示体１１をはさみなどで裁断した場合であっても、マイクロカプセル充填層３１の溶液が即座に流れ出すことはないが、必要であれば裁断後の表示体１１の外周部を、接着剤等を用いてシール（封止）することができる。
【０１１８】
＜洋服への適用例＞
図２８は、表示体１１を所望の形状に裁断してからコントロール端末６１を付けることによって作成した、携帯装着品１としての洋服１Bの例を示している。
【０１１９】
表示体１１がフレキシブル性に優れ、自由な形状に裁断可能である点や、コントロール端末６１をクリップ形状とすることにより、表示体１１の駆動制御を行うコントロール端末６１を自由な位置に設定することができる点を生かして、ファッション性の高い洋服１Bを製作することができる。
【０１２０】
ユーザはコントロール端末６１でオンオフ操作を行うことにより、洋服１Bの布地に相当する表示体１１の色を、例えば、黒色と赤色のいずれかから選択することができる。
【０１２１】
なお、図２８の洋服１Bは、洋服１Bの生地に相当する表示体１１の全面が、表示領域となっている例であるが、図２に示した基材側の電極層３６を、所定の柄模様にパターニングしてもよい。この場合、柄模様の部分に対してのみ正または負の電圧が印加され、表示または非表示となって、所定の柄模様が浮かび上がるような表示が可能である。柄模様のパターニングは、導電性のインクにより描いたところが導通パターンとなる導電性インクペンや、導電性インクを使って印刷した部分が導通部分となる回路パターン作成プリンタなどを用いることができる。
【０１２２】
＜表示体の形状例＞
また、表示体１１は、図２６に示した矩形のシート状の他、図２９のA乃至図２９のEに示されるような、予め所定の形状に成形したシート状のものとすることができる。
【０１２３】
図２９のAは、星型に成形した表示体１１の例を示している。
【０１２４】
図２９のBは、ハート型に成形した表示体１１の例を示している。
【０１２５】
図２９のCは、組み立てると立方体となる正方形展開図の形状に成形した表示体１１の例を示している。
【０１２６】
図２９のDは、帯状または紐状に成形した表示体１１の例を示している。
【０１２７】
図２９のEは、らせん巻きの立体形状に成形した表示体１１の例を示している。
【０１２８】
これまでのディスプレイと言えば、１６：９や４：３のアスペクト比の平面状のものが一般的であったが、電気泳動型ディスプレイを用いた表示体１１であれば、図２９のA及び図２９のBに示したように、星型やハート型、クローバ型など、様々な形状で提供することができる。
【０１２９】
また、図２９のD及び図２９のEに示されるように、帯状または紐状の形状でも提供することができる。この場合、図３０のAに示されるように、ニットで編み込んだ帽子１Cの一部に表示体１１を編み込んだり、表示体１１を編み込んだヘアエクステンション（不図示）を作成したりすることができる。図３０のAは、携帯装着品１としての帽子１Cの例を示している。
【０１３０】
また、帯状または紐状の表示体１１を用いれば、図３０のBに示されるように、携帯装着品１としての洋服１Dを、表示体１１を編み込むことにより作成することも可能となる。図１４に示したようなバッグ（トートバッグ）１Gも、帯状または紐状の表示体１１を編み込んで製作することができる。
【０１３１】
このように、帯状または紐状の表示体１１を編み込むことにより、ディスプレイとしてこれまでになかった３次元的な質感を表現することができ、ユーザが身に付けたり携帯する物品である携帯装着品１に、新しい布地状の質感を与えることができる。
【０１３２】
図３０のBに示される携帯装着品１としての洋服１Dにおいて、編み込まれる複数の表示体１１それぞれを、同一の色を表示する単一セグメントで構成した場合には、図２８に示したものと同様に、オン状態とオフ状態に対応する２色のうちのいずれか一つを選択して表示させることができる。
【０１３３】
また例えば、縦方向及び横方向の配列された複数の紐状の表示体１１に対して、赤色（R）、緑色（G）、青色（B）のカラーフィルタ（カラーフィルム）３５を、順に最表面に貼り付けることで、複数の紐状の表示体１１それぞれは単色を発光する単一セグメントでありながら、編み込まれた洋服１B全体としては、複雑なカラー表現が可能となる。また、同じ色のカラーフィルタ３５を有する表示体１１のみを選択表示させれば、赤色、緑色、または、青色の表示を切り替えることができる。
【０１３４】
勿論、複数の紐状の表示体１１それぞれが、R,G,またはBのカラーフィルタ（カラーフィルム）３５が貼り付けられた微細なセグメントを２次元的に配列して構成される場合には、個々のセグメントを個別に制御することにより、表示体１１の紐形状に制限されない、複雑なデザイン（画像）を表現することも可能となる。
【０１３５】
以上のように、様々な形状の表示体１１を提供することで、ユーザが自由に作品を製作することが可能となり、DIYツールとしても利用することができる。様々な形状の表示体１１は、裏面に粘着テープや面ファスナを貼り付けるなどして、任意の物品に着脱可能に構成することができる。
【０１３６】
＜４．第４の実施の形態＞
＜携帯装着品の構成例＞
図３１は、本開示に係る携帯装着品の第４の実施の形態の構成例を示すブロック図である。
【０１３７】
図３１において、上述した第１の実施の形態と対応する部分については同一の符号を付してあり、その説明は適宜省略する。
【０１３８】
第４の実施の形態に係る携帯装着品１の構成を、第１の実施の形態に係る構成と比較すると、スイッチ部１２が省略されており、その代わりに、通信部８１が新たに設けられている。
【０１３９】
通信部８１は、スマートフォンなどの他の通信装置との間で、例えば、NFC(Near Field Communication)通信、赤外線通信、Bluetooth（登録商標）などによる無線通信を行う。また、通信部８１は、インターネット、LAN(Local Area Network)、WAN(Wide Area Network)などのネットワークに接続する通信デバイスであってもよい。この場合、通信部８１は、ネットワークを介してサーバ装置などの他の通信装置と通信を行う。すなわち、第４の実施の形態において、通信部８１が行う無線通信の方式は限定されず、任意の方式を採用することができる。
【０１４０】
通信部８１は、他の通信装置から、表示体１１の表示領域を構成する１以上のセグメントを制御するための制御情報であるデザインデータを受信する。ここで、デザインデータは、表示体１１の１以上のセグメントに対するオンオフ情報、または、中間階調を表す階調情報である。
【０１４１】
第４の実施の形態においては、表示体１１の表示領域は、単一セグメントであってもよいが、ストライプやドット模様等の複数のセグメントや、微細なセグメントが２次元アレイ状に配列された複数のセグメントである方が、より多様なデザイン表現が可能となる。表示体１１の表示可能な色の数も、１色でもよいが、複数色や、R,G,Bによるフルカラー表示とすれば、より多様なデザイン表現が可能となる。
【０１４２】
通信部８１は、表示体１１に表示されるデザイン（画像）に対応するデザインデータを駆動制御部１３に供給する。
【０１４３】
駆動制御部１３は、取得したデザインデータに基づいて、表示体１１の１以上のセグメントを制御する。
【０１４４】
なお、NFC通信では、リーダライタとしての他の通信装置から受信される電波から電力を抽出して、抽出された電力によって動作（駆動）を行うことが可能である。したがって、通信部８１がNFC通信によって無線通信を行う場合には、バッテリ１４を省略することができる。
【０１４５】
＜使用例１＞
図３２は、第４の実施の形態に係る携帯装着品１としてのバングル１Aの使用例を示す図である。
【０１４６】
スマートフォン９１には、デザインデータが記憶されており、まず、ユーザは、バングル１Aに転送したいデザインをスマートフォン９１のディスプレイ９２に表示させる。
【０１４７】
そして、バングル１Aとスマートフォン９１とがNFC通信により無線通信を行うものとすると、ユーザは、スマートフォン９１を、バングル１Aに近づける操作（タッチ操作を含む）を行う。スマートフォン９１が、バングル１Aの数cm以内に近接されると、バングル１Aの通信部８１及び駆動制御部１３が、リーダライタであるスマートフォン９１からの電波を受信して起動する。
【０１４８】
そして、バングル１Aの通信部８１は、スマートフォン９１から、ディスプレイ９２に表示されたデザインのデータ（デザインデータ）を受信し、駆動制御部１３に供給する。駆動制御部１３は、供給されたデザインデータに基づいて、表示体１１の各セグメントを駆動する。
【０１４９】
これにより、バングル１Aの表示体１１の画像が、スマートフォン９１のディスプレイ９２に表示されたデザインに変更される。
【０１５０】
なお、表示体１１の画像が、スマートフォン９１のディスプレイ９２に表示されたデザインに一瞬で切り替わるものでもよいが、デザインが転送されたという動作をユーザに感じさせるため、駆動制御部１３は、例えば、表示体１１の画像が、表示体１１の表示領域の一方の端から順に変更されるような駆動制御を行ってもよい。このような駆動制御を行うことにより、直感的に画像が転送されていくさまが伝わり、転送する喜びや楽しみをユーザに体感させることができる。
【０１５１】
この際、スマートフォン９１のディスプレイ９２側でも駆動制御を行い、例えば柄を吸い取られるようなグラフィック表示および効果音を付与することで、より直感的な操作をユーザに伝えることが出来る。
【０１５２】
また、バングル１Aの表示体１１の表示領域がある程度広い場合には、ユーザがスマートフォン９１を近接させた場所から順に、波紋が広がるように、表示体１１の画像が変更されるような駆動制御を行ってもよい。ただし、この場合、表示体１１の表示領域全体のなかのどこに近接されたかを検出する必要がある。近接場所を特定する方法としては、例えば、表示体１１の表示領域全体を複数領域に分割して、領域ごとにセンサを配置する方法、電波の受信レベルなどから近接位置を推定する方法などがある。
【０１５３】
また、ユーザは、異なる種類の複数の携帯装着品１に同一のデザインを適用し、御揃いのデザインにして楽しむこともできる。例えば、図３３に示されるように、バングル１Aの表示体１１の画像と、バッグ１Hの表示部１６１の画像を、同一のデザインに合わせることも可能である。この場合のバッグ１Hの構成は、図３１を参照して説明した通信機能を持つ構成となる。
【０１５４】
＜使用例２＞
携帯装着品１が通信機能を有している場合には、図３２及び図３３を参照して説明したように、ユーザは、携帯装着品１の表示体１１の表示（画像）を、所望のデザインに着せ替えることが可能となる。
【０１５５】
そこで、携帯装着品１のユーザが、自身の携帯装着品１に表示させたい所望のデザインを購入したり、クリエイタが携帯装着品１に表示可能なデザインを作成して提供するシステムが構築可能である。
【０１５６】
図３４は、クリエイタとユーザとの間でデザインの授受を可能とするデザイン提供サービスを実現するデザイン提供システムの構成例を示している。
【０１５７】
デザイン提供システムは、クリエイタが操作する端末装置１０１、クリエイタがユーザに提供するデザインのデザインデータが記憶されるサーバ１０２、及び、ユーザがデザインデータをダウンロードする端末装置１０３を少なくとも含んで構成される。デザイン提供システムでは、実際には、多数のクリエイタやユーザが、自身の端末装置を使用してサーバ１０２にアクセスすることが可能であるが、説明を簡単にするため、一人のクリエイタとユーザについて説明する。
【０１５８】
端末装置１０１及び１０３のそれぞれは、例えば、パーソナルコンピュータ（PC）、ノートPC、タブレット、スマートフォンなどで構成され、少なくともネットワーク通信機能を有する。以下では、クリエイタの端末装置１０１をクリエイタ端末１０１と称し、ユーザの端末装置１０３をユーザ端末１０３と称する。
【０１５９】
クリエイタ端末１０１、サーバ１０２、及び、ユーザ端末１０３は、インターネット、LAN(Local Area Network)、WAN(Wide Area Network)などのネットワーク１０４を介して接続されている。
【０１６０】
サーバ１０２は、クリエイタによりアップロードされたデザインデータを記憶するとともに、ユーザがサーバ１０２の所定のアドレス（URL）にアクセスしてきたときに、多数のクリエイタにより提供されたデザインデータをWeb上でユーザに提供する。換言すれば、サーバ１０２によって、携帯装着品１のデザインデータを提供するネットショップが実現される。
【０１６１】
＜デザイン提供処理＞
図３５のフローチャートを参照して、図３４のデザイン提供システムで実行されるデザイン提供処理について説明する。
【０１６２】
なお、図３５の説明では、図３２で説明したように、ユーザ端末１０３がスマートフォン９１であり、携帯装着品１がバングル１Aであるとし、ユーザ端末１０３と携帯装着品１とは、NFC通信により無線通信を行うものとして説明する。
【０１６３】
初めに、クリエイタが携帯装着品１で表示可能なデザインを作成する。そして、ステップＳ１において、クリエイタ端末１０１は、クリエイタの操作に応じて、作成された携帯装着品１向けのデザインデータをサーバ１０２にアップロード（送信）する。
【０１６４】
ステップＳ２において、サーバ１０２は、クリエイタ端末１０１から送信されてきたデザインデータを受信し、受信したデザインデータを内部の記憶部に記憶する。
【０１６５】
ステップＳ３において、ユーザ端末１０３は、ユーザの操作に応じて、ブラウザなどからサーバ１０２の所定のアドレスにアクセスすることで、多数のクリエイタによって作成された携帯装着品１向けのデザインデータの閲覧及び購入が可能なサイト（ネットショップ）にアクセスする。
【０１６６】
ステップＳ４において、サーバ１０２は、ユーザ端末１０３のブラウザからの要求に応じて、多数のクリエイタによって作成された携帯装着品１向けのデザインデータを一覧表示させるウェブページをユーザ端末１０３に送信し、ユーザ端末１０３のディスプレイにデザインデータの一覧を表示させる。
【０１６７】
サーバ１０２は、内部の記憶部に記憶されている多数のデザインデータを、所定の種類に分類して、一覧表示することができる。分類の単位としては、例えば、デザインデータが使用される携帯装着品１の種類ごと（バックル、Tシャツ、キーホルダ、・・・）、素材形状ごと（シート形状、紐形状、・・）、制御形式ごと（１セグメント、２セグメント、２次元配列セグメント、・・）などが選択できる。
【０１６８】
ユーザは、デザインデータの一覧を見て、所望のデザインデータを購入する操作を行うと、ステップＳ５において、ユーザ端末１０３からサーバ１０２へ、購入操作を行ったデザインデータの購入指示情報が送信される。
【０１６９】
ステップＳ６において、サーバ１０２は、ユーザ端末１０３からのデザインデータの購入指示情報を受信し、指定されたデザインデータのユーザ端末１０３への送信を行う。ユーザ端末１０３は、サーバ１０２から送信されてきたデザインデータを受信し、内部の記憶部に記憶する。
【０１７０】
さらにステップＳ７において、サーバ１０２は、購入されたデザインデータをアップロードしたクリエイタ端末１０１へ、クリエイタのデザインデータが購入されたことを表す購入通知を送信する。
【０１７１】
サーバ１０２は、デザインデータの購入通知をクリエイタ端末１０１へ送信する際、例えば、ユーザのログイン情報や登録情報などに基づいて、ユーザが男性であるかまたは女性であるか、ユーザの年代（１０代、２０代など）など、どのようなユーザがクリエイタのデザインデータを購入したかを表す購入者情報を送信することができる。
【０１７２】
また、サーバ１０２が、ユーザ端末１０３の位置情報などを取得できる場合には、クリエイタのデザインデータがどこでダウンロードされたかを示す位置情報などもクリエイタに提供することができる。
【０１７３】
ユーザは、ダウンロードしたデザイン（データ）を表示させたい携帯装着品１をユーザ端末１に近接させる動作を行う。ユーザ端末１０３は、ステップＳ８において、携帯装着品１が近接されたか否かを判定し、近接されたと判定されるまで、ステップＳ８の処理を繰り返す。
【０１７４】
そして、ステップＳ８で、携帯装着品１が近接されたと判定された場合、処理はステップＳ９に進み、ユーザ端末１０３は、無線通信により、デザインデータを携帯装着品１に送信する。
【０１７５】
ステップＳ１０において、携帯装着品１は、ユーザ端末１０３から無線通信により送信されてきたデザインデータを受信し、表示デザインを変更する。すなわち、受信されたデザインデータが駆動制御部１３に供給され、駆動制御部１３によって、受信したデザインデータに基づく画像が、表示体１１に表示される。
【０１７６】
以上のデザイン提供処理によれば、ユーザは、所望の表示デザインを購入して、自分の携帯装着品１の表示デザイン（画像）を着せ替えることができる。
【０１７７】
サーバ１０２からダウンロードされたデザインデータは、ユーザ端末１０３内に記憶させておき、ユーザが、その日の気分や状態に合わせて、表示デザイン（画像）を着せ替えたりしてもよい。
【０１７８】
デザイン提供処理によれば、クリエイタは、自分が作成したデザインが、いつ、どんなユーザに、どこで、購入（ダウンロード）されたかを、リアルタイムに知ることができる。
【０１７９】
なお、購入されたときのリアルタイムな情報だけではなく、これまでに何件ダウンロードされたか、１週間や１か月間などの所定の期間に何件ダウンロードされたかなど、統計的な情報も必要に応じて知らせるようにしてもよい。
【０１８０】
ユーザが所望のデザインデータを購入することができるだけではなく、クリエイタも、自分の作成したデザインの時間的または空間的な利用状況の推移を知ることができるので、ユーザとクリエイタがインタラクティブにコミュニティを作り上げることができ、ユーザとクリエイタに共感が生まれる。
【０１８１】
ユーザへのデザインデータの提供だけではなく、クリエイタに対しても喜ばしいフィードバックを与えることで、ユーザとクリエイタの双方が参加したくなるサービス（システム）を提供することができる。
【０１８２】
なお、この例では、クリエイタが作成したデザインデータをユーザが購入するものとして説明したが、ユーザは無償で取得、利用できるシステムとしてもよい。
【０１８３】
また、クリエイタが作成したデザインデータを取得、利用する他、ユーザ自身が自分の携帯装着品１に表示させるデザインを作成し、携帯装着品１に転送して、TPO（時間、場所、場合）に応じて自由に変更させてもよい。
【０１８４】
ユーザが自分の携帯装着品１のデザインを作成する場合、例えば、ユーザが、携帯装着品１を購入したとき、その携帯装着品１（の表示体１１）に対応するセグメントデータが、携帯装着品１に同梱されている。あるいは、ユーザは、各種の携帯装着品１に対応するセグメントデータを記憶しているサーバ１０２に、ユーザ端末１０３からアクセスし、ユーザが所有する携帯装着品１のセグメントデータを、ユーザ端末１０３にダウンロード（取得）する。セグメントデータは、携帯装着品１の表示体１１のセグメント構成、具体的には、セグメントの形状、個数、配置など、に関する情報を含むデータである。
【０１８５】
ユーザ端末１０３には、セグメントデータを基に表示パターンをデザインし、デザインデータを作成するアプリケーションがインストールされている。このアプリケーションは、ユーザ端末１０３に予め記憶されていてもよいし、ユーザが、所定のサーバからダウンロードして取得しても良い。また、このアプリケーションが記憶されているサーバは、セグメントデータやクリエイタが作成したデザインデータを記憶しているサーバ１０２と同じサーバでもよいし、異なるサーバでもよい。
【０１８６】
ユーザは、ユーザ端末１０３上で、デザインデータを作成するアプリケーションを起動し、自分の携帯装着品１のデザインを作成する。そして、作成したデザインデータが、図３２や図３３を参照して説明したように、携帯装着品１に転送される。これにより、ユーザは、携帯装着品１の表示体１１の表示（画像）を、自分で作成したデザインに着せ替えることが可能となる。
【０１８７】
図３６は、携帯装着品１の表示体１１がドット模様で構成される場合のセグメントデータの一部と、そのデータを用いて作成可能なデザイン（表示パターン）の例を示している。
【０１８８】
所定の位置のドット（セグメント）をオンまたはオフさせることにより、文字、図形、記号などの表現が可能である。図３６では、「A」と「１」の文字、ハートの記号をドットのオンオフ状態で表現した表示例が示されている。
【０１８９】
図３７は、図３６に示したドット模様のセグメントデータが図１５及び図１７で示したバッグ１K用のデータである場合に、ユーザが自分で作成したデザインデータを、携帯装着品１としてのバッグ１Kに転送し、表示させた例を示している。
【０１９０】
ユーザは、自分が作成したデザインデータを、サーバ１０２にアップロードし、他のユーザに、有償または無償で提供することもできる。また、ユーザは、他のユーザがアップロードしたデザインデータをダウンロードし、デザインデータを作成するアプリケーションを使って、自分好みにデザインを変更(編集)することもできる。このデザイン提供システムによれば、ユーザ誰もがクリエイタになることができる。
【０１９１】
＜端末装置の構成ブロック図＞
図３８は、ユーザ端末１０３がスマートフォンで構成される場合のユーザ端末１０３の構成例を示すブロック図である。
【０１９２】
CPU（Central Processing Unit）３２１は、各種の処理を実行する演算処理部である。CPU３２１は、セグメントデータに基づいて、デザインデータを作成、編集するアプリケーションプログラムを実行することにより、デザインデータ作成部として機能する。
【０１９３】
CPU３２１は、バス３２５を介してROM（Read Only Memory）３２２、RAM（Random Access Memory）３２３、およびNVRAM（Non Volatile RAM）３２４と相互に接続される。このバス３２５にはまた、入出力インタフェース３２６も接続され、入出力インタフェース３２６には、記憶部３２７およびドライブ３２８が接続される。
【０１９４】
ROM３２２には予めソフトウェアプログラムやデータが格納される。RAM３２３およびNVRAM３２４には、ROM３２２や記憶部３２７に格納されているソフトウェアプログラムやデータがロードされる。RAM３２３およびNVRAM３２４にはまた、CPU３２１が各種の処理を実行する上において必要なデータなども適宜記憶される。記憶部３２７は、フラッシュメモリやハードディスクなどにより構成され、デザインデータを作成、編集するアプリケーションプログラムを少なくとも記憶する。
【０１９５】
ドライブ３２８は、必要に応じて装着される、半導体メモリなどのリムーバブルメディア３２９からのデータを読み出し、入出力インタフェース３２６等を介してCPU３２１に供給したり、CPU３２１から供給されるデータをリムーバブルメディア３２９に書き込む。読み書きされるデータには、デザインデータ、セグメントデータ、インストールされるプログラム（アプリケーション）のデータなどが含まれる。
【０１９６】
入出力インタフェース３２６には、入力部３３０、音声入出力部３２１、表示部３３２、無線通信部３３３、電話回線網通信部３３４、および撮影部３３５が接続される。
【０１９７】
入力部３３０は、操作ボタン、タッチパネル等により構成され、ユーザの操作による入力を受け付けて、CPU３２１等に供給する。音声入出力部３３１は、スピーカ、マイクロホン等により構成され、通話のための音声を入出力する。表示部３３２は、LCD（Liquid Crystal Display）、有機EL(Electro Luminescence)ディスプレイなどにより構成され、所定の画像（画面）を表示する。
【０１９８】
無線通信部３３３は、数ｃｍ程度の近接距離で電磁誘導を利用した非接触通信を行うNFC通信機能を少なくとも備える。無線通信部３３３には、NFC通信機能に加えて、WiFi方式による無線通信機能、Bluetooth（登録商標）方式による無線通信機能、赤外線通信機能など、複数の無線通信機能を持たせることができる。
【０１９９】
電話回線網通信部３３４は、移動体電話通信網を介して他の装置と音声通信、または、パケット通信を行う。撮影部３３５は、CCD(Charge Coupled Device)やCMOS（Complementary Mental Oxide Semiconductor）センサ等の撮影素子などにより構成される。撮影部３３５は、被写体を撮影し、撮影した被写体の画像データを、入出力インタフェース３２６を介してCPU３２１等に供給する。
【０２００】
ユーザ端末１０３がスマートフォンで構成される場合には、以上のような構成とすることができる。
【０２０１】
上述した例では、ユーザ端末１０３と携帯装着品１がNFC通信により無線通信を行うものとして説明したが、通信させる装置どうしを近接させる必要がない通信方式を用いた場合には、異なる使用方法が可能である。
【０２０２】
例えば、図３０のBに示した洋服１Dを、コンサート会場の観客またはアーティストに着てもらい、無線操作により洋服１Dの柄（表示体１１の画像）を曲調に合わせて変更するような使用が可能である。アーティストが歌う曲やステージの照明に応じて洋服１Dの色や柄を変えたり、アーティストの歌や掛け声、アクションに応じて洋服１Dの柄を変更させることなどもできる。また例えば、アーティストの洋服１Dの色や柄と、観客が身に着けているバングル１Aの色や柄を、無線通信により連携させて変化させてもよい。アーティストと観客が身に着ける携帯装着品１は、同種のもの（例えば、バングル１A）でもよいし、異種のもの（例えば、洋服１Dとバングル１A）でもよい。
【０２０３】
＜５．立体形状の表示体の例＞
＜立体形状の表示体＞
表示体１１は、図３９に示す方法により、立体的に製造することもできる。
【０２０４】
まず初めに、切削、鋳造などにより、複雑形状の電極層３６が立体的に形成される。次に、マイクロカプセル充填剤への液浸、または、スプレー塗布などにより、マイクロカプセル充填層３１が、電極層３６の表面に付加される。次に、蒸着などにより、透明電極層３２がマイクロカプセル充填層３１を覆うように成膜される。
【０２０５】
このような工程により、例えば、図４０に示されるように、携帯装着品１としてのペンダント１Eを、立体的に製造することができる。
【０２０６】
予め造形した立体形状の電極層３６に対して、マイクロカプセル充填層３１や透明電極層３２を付加した場合、電極層３６の立体形状に応じてマイクロカプセル充填層３１や透明電極層３２の膜厚に不均一性（成膜ムラ）が発生するため、所定の色を表示させたときに、膜厚の不均一性による表示部１１の表示ムラが発生する。しかし、この表示ムラ（色ムラ）も、ファッション性を高める一要素として用いることができ、ファッション性の高い携帯装着品１を製造することができる。
【０２０７】
以上のように、携帯装着品１は、電気泳動型ディスプレイで構成される表示体１１を備え、ユーザ（人）によって携帯または装着される物品であって、フレキシブル性と低消費電力性を備えつつ、所望の画像（デザイン）を表示することができる。
【０２０８】
＜６．各種の物品に適用したアプリケーション例＞
以下では、上述した携帯装着品１を各種の物品に適用した場合のアプリケーション例について説明する。
【０２０９】
＜ネクタイのアプリケーション例＞
初めに、上述した携帯装着品１をネクタイとした場合のアプリケーション例について説明する。
【０２１０】
携帯装着品１としてのネクタイが、スイッチ部１２（図８）、センサ１４１（図１２）、または、通信部８１（図３１）の１つ以上を備え、図９を参照して説明したアクション検出機能や、図１３を参照して説明した状態変化検出機能を実行する。
【０２１１】
ネクタイは、センサ１４１として、ネクタイの折り曲げを検出する、圧電素子などの圧力検出センサを備える。駆動制御部１３は、圧力検出センサの検出結果に基づいて、ネクタイが折り曲げられたときに、ネクタイの色や模様を変更するように表示体１１を制御する。
【０２１２】
また例えば、ユーザがネクタイを結んだときの締め付けの強さを圧力検出センサが検出し、駆動制御部１３は、締め付けの強さに応じて、あるいは、一定以上の強さとなった場合に、ネクタイの色や模様を変更するように表示体１１を制御することができる。
【０２１３】
ネクタイは、センサ１４１として、CCD(Charge Coupled Device)やCMOS（Complementary Metal Oxide Semiconductor）イメージセンサなどの画像センサを備える。画像センサは、例えば、ネクタイを装着したときに、ユーザが着用しているワイシャツの色を検出可能な位置に設置されている。駆動制御部１３は、画像センサにより検出されたワイシャツの色または模様に合わせて、ネクタイの色や模様を変更するように表示体１１を制御する。ワイシャツの色または模様と、表示体１１に表示されるネクタイの色や模様は、予め対応付けて記憶しておくこともできるし、内部記憶されている色や模様からランダムに選択して表示してもよい。
【０２１４】
また、ネクタイが、スイッチ部１２としての操作ボタンを備え、ユーザによってボタン操作される度に、駆動制御部１３が、ネクタイの色や模様を変更するように表示体１１を制御することもできる。
【０２１５】
また、ネクタイには、次のような装着ガイド機能を付加することができる。操作ボタンの押下により、ネクタイの装着ガイド機能がオンされると、図４１のAに示されるように、表示体１１のうち、ネクタイを結ぶときの結び位置を表す部分の表示が変更される。これにより、ユーザはいつも自分に適した長さでネクタイを結ぶことができる。表示体１１のどこの位置を結び位置として表示させるかを、ユーザが設定（選択）できる機能を付加してもよい。
【０２１６】
ネクタイの表示部１１は、図４１のAに示されるように、表側の全面としてもよいし、図４１のBに示されるように、結んで装着したときに正面に見える部分のみとしてもよい。
【０２１７】
ネクタイは、図２５を参照して説明したように、表示体１１と、それを駆動制御するコントロール端末６１とに分離された構成を採用することができる。この場合、例えば、図４２に示されるように、ネクタイピンをコントロール端末６１として、ネクタイピンを挟むか否かにより、ネクタイの表示体１１の色や模様が変更されるように制御することができる。また、コントロール端末６１の機能を有するネクタイピンの種類を複数揃え、ネクタイに挟むネクタイピンによって、表示体１１の色や模様が変更されるようにすることも可能である。
【０２１８】
ネクタイが、図３１で説明した通信機能を備え、同じく通信機能を備える携帯装着品１としてのバッグ１H（図２２）やバングル１A（図３）などと連動してデザインを変更することができる。例えば、ネクタイの表示体１１の色や模様がボタン操作等によって変更されると、その内容（デザインを特定する情報）が、バッグ１Hやバングル１Aなどに送信される。バッグ１Hやバングル１Aは、ネクタイから送信された情報を受信して、ネクタイで表示されているデザインと同じデザインに表示が変更される。あるいは、ネクタイの表示デザインに対応したデザインに、バッグ１Hやバングル１Aのデザインが変更される。
【０２１９】
＜メガネのアプリケーション例＞
次に、上述した携帯装着品１をメガネとした場合のアプリケーション例について説明する。
【０２２０】
携帯装着品１としてのメガネが、スイッチ部１２（図８）、センサ１４１（図１２）、または、通信部８１（図３１）の１つ以上を備える。また、メガネを携帯装着品１とした場合では、フレーム部分が表示体１１で構成され、図９を参照して説明したアクション検出機能や、図１３を参照して説明した状態変化検出機能によって、メガネのフレーム部分の色や模様が変更される。
【０２２１】
例えば、メガネは、センサ１４１として、CCDやCMOSイメージセンサなどの画像センサを備える。画像センサはメガネの周囲を撮像する。駆動制御部１３は、撮像された画像に基づいて、他のユーザの視線方向を検出する。そして、駆動制御部１３は、メガネを装着しているユーザが、他のユーザに見られたときに、メガネの色や模様が変更されるように表示体１１を制御する。
【０２２２】
また、駆動制御部１３は、撮像された画像に基づいて周囲の場所の色を認識し、認識された色と反対の色または補色となるように、表示体１１を制御する。メガネが、例えば、黒色のテーブルの上に置かれた場合、メガネの表示体１１が白色となるように制御される。これにより、メガネの置き場所を分かり易くユーザに知らせることができる。
【０２２３】
駆動制御部１３は、画像センサによって検出された画像から、メガネを装着しているユーザの肌の表面状態、例えば、テカリ状態（皮脂量）を検出し、検出された状態に応じて表示体１１の色を変更する制御を行う。メガネは、検出される肌の表面状態をお疲れ度として表示体１１の色で表現する。あるいは、駆動制御部１３は、メガネが装着されている時間に応じて、「黒」→「グレー」→「白」のように表示体１１の階調を変更する。
【０２２４】
画像センサは、表示変更指示としてユーザが行うジェスチャを撮像する。駆動制御部１３は、撮像されたジェスチャを認識して、ユーザが行ったジェスチャの種類に応じて表示体１１の色や模様を変更する。
【０２２５】
メガネは、センサ１４１として、メガネフレームの耳掛け部分（テンプル）の折り曲げ状態を検出する状態検出センサを備える。状態検出センサは、例えば、接点検出センサや受光センサなどで実現することができる。駆動制御部１３は、耳掛け部分が折り曲げられている状態と、折り曲げられていない状態（装着状態）とで表示体１１の色や模様を変更する。
【０２２６】
メガネが、スイッチ部１２としての操作ボタンを備え、駆動制御部１３は、ユーザによって操作ボタンが押される毎に、フレーム部分の表示体１１の色や模様を変更することができる。ユーザがメガネを装着している状態でフレームの色や模様を変更した場合には、どのような柄に変更されたか分かりにくい。そこで、フレームの色や模様が変更された場合に、現在の色や模様を、音（メッセージ、または、メロディ）や、光、振動などで、ユーザに知らせる機能を付加することができる。
【０２２７】
メガネは、センサ１４１として、周囲の音を検出するマイクロホンを備える。駆動制御部１３は、マイクロホンで検出された音量に応じて、あるいは、一定以上の音量が検出された場合に、メガネの色や模様が変更されるように表示体１１を制御する。
【０２２８】
メガネは、通信部８１を備え、所定の範囲内に存在する他の通信デバイスを検出可能である。例えば、複数のユーザが、通信機能を有する同種のメガネを装着しているとする。駆動制御部１３は、通信部８１によって検出された、他の通信デバイスが所定の数以上となったときに、メガネの色や模様が変更されるように表示体１１を制御する。これにより、所定の範囲内に、同じ通信デバイスを有するユーザが所定数集まったときに、メガネの色や模様が変更される。
【０２２９】
＜財布のアプリケーション例＞
次に、上述した携帯装着品１を財布とした場合のアプリケーション例について説明する。
【０２３０】
携帯装着品１としての財布が、スイッチ部１２（図８）、センサ１４１（図１２）、または、通信部８１（図３１）の１つ以上を備える。また、財布の外側の少なくとも一部が表示体１１で構成されており、図９を参照して説明したアクション検出機能や、図１３を参照して説明した状態変化検出機能によって、外側の色や模様が変更される。
【０２３１】
例えば、財布は、センサ１４１として、張力を検出する張力検出センサや、重量を検出する重量検出センサを備え、中に入っているお札の量を、重量や財布の張り（ふくらみ具合）などで検出する。そして、駆動制御部１３は、検出されたお札の量に基づいて、外側の表示体１１の色や柄を変化させる。
【０２３２】
また、財布は、NFC通信を行う通信部８１を備える。通信部８１は、Suica（登録商標）などで知られる電子マネー用ICカード（以下、マネーICカードという。）の残高（チャージ金額）を読み取り可能である。
【０２３３】
通信部８１は、NFC通信により、財布内に入れられているマネーICカードの残高を読み取る。駆動制御部１３は、通信部８１により検出された残高が、所定の金額以下である場合に、表示体１１の色や模様を変更する。これにより、例えば、駅の改札やお店で財布内のマネーICカードで支払いをした後で、財布の表示体１１の色が変更された場合に、財布の所有者であるユーザは、残高が少なくなったことを知ることができる。財布の表示部分には、例えば、７セグメント領域やアクティブマトリックス制御領域を設けて、残高の金額を直接表示させてもよい。
【０２３４】
また、残高が所定の金額以上である場合に、お金が多いことを表す画像、例えば、一万円札の画像や、所定のキャラクターがお金を数えて微笑んでいる画像、などを表示させてもよい。
【０２３５】
さらに、通信部８１が、NFC通信機能以外に、無線LANや携帯電話通信網を使った通信機能を備えている場合、財布内に入れられているマネーICカードの残高を読み取った結果を、スマートフォンなどの他の通信装置に送信させることもできる。この機能は、例えば、子供の財布内のマネーICカードの残高情報を、親のスマートフォンに転送して知らせるサービスなどに適用できる。
【０２３６】
財布が、NFC通信機能以外に、センサ１４１として、振動などを検出する加速度センサを備えている場合には、例えば、ユーザが財布をバンプさせる（ぶつける）動作を検出することができる。例えば、飲み会の支払いをする場合に、ボタン操作により財布の動作モードをある動作モードに設定して、複数ユーザそれぞれの財布をバンプさせると、通信部８１が、各ユーザの財布内に入れられているマネーICカードの残高を読み取る。駆動制御部１３は、各ユーザの残高に応じた傾斜配分により、各ユーザの支払額を計算し、表示体１１に表示させる。あるいはまた、支払金額を入力したり、スマートフォンなどから支払金額を財布に転送することが可能であれば、通信部８１が、所定の距離内に存在する通信デバイスの数を検出することで、ユーザの人数を検出する。そして、駆動制御部１３が、ユーザ数で支払額を均等配分して表示体１１に表示させる。
【０２３７】
通信部８１は、ICカードタイプの電子定期券の期限を読み取る。駆動制御部１３は、電子定期券の期限が所定の期間内となった場合に、表示体１１の色や模様を変更したり、メッセージを表示して、ユーザに通知する。
【０２３８】
財布の中のカードを入れる場所（カード入れ）が複数あって、マネーICカードを入れる場所が予め決められているような場合に、通信部８１は、マネーICカードが所定の場所に挿入されたとき、マネーICカードの残高を読み取る。駆動制御部１３は、マネーICカードの残高を表示部１１に表示させる。
【０２３９】
クレジットカード、会員カード、ポイントカードなどの各種のカードがNFC通信機能を備え、各カードから、カード種類を識別可能なタグ情報をNFC通信により送受信可能である場合、通信部８１は、財布内のカード入れに入れられているカードを識別する。駆動制御部１３は、財布内に入っているカード種類を表す情報を表示体１１に表示させる。これにより、ユーザは、財布内にどのカードが入っているかを知ることができる。
【０２４０】
財布の表示体１１に表示させるデザインを指定するデザインカードが設けられる。通信部８１は、例えばNFC通信により、財布の中のカード入れに入れられたデザインカードを検出する。駆動制御部１３は、財布の中のカード入れに入れられたデザインカードに対応したデザインとなるように表示体１１を制御する。ユーザは、例えば、その日の気分に応じてデザインカードを変更することで、財布のデザインを変更することができる。デザインカードは、カード形状ではなく、コイン形状などでもよい。
【０２４１】
通信部８１には、スマートフォンなどの他の通信デバイスを登録することができる。ユーザが、スマートフォンと財布を一緒に持ち歩く場合、通信部８１にスマートフォンを登録しておくと、通信部８１は、登録された通信デバイスが所定の距離内にあるかどうかを検出する。駆動制御部１３は、通信部８１の検出結果に基づいて、表示体１１を駆動制御する。例えば、ユーザが財布をなくした場合には、財布とスマートフォンが離れた場所に置かれることになる。駆動制御部１３は、登録されたスマートフォンが所定の距離内に検出されなくなったとき、表示体１１に、持ち主であるユーザの名前や連絡先を表示させる。
【０２４２】
財布が長財布である場合、男性がズボンのポケットに財布をしまうと、財布の一部がポケットからはみ出した状態となる。財布は、センサ１４１として、周辺の明るさを検出する明るさ検出センサ（照度センサ）を、表示体１１の各所に備える。明るさ検出センサは、財布のポケットからはみ出した部分を検出する。駆動制御部１３は、表示体１１のはみ出した部分だけに、動物の画を表示させたり、色や柄を変更する。ユーザがズボンの色を指定したり、センサによりズボンの色を検出可能である場合には、表示体１１のはみ出し部分を、検出されたズボンの色に合わせるように変化させることも可能である。
【０２４３】
＜鍵・キーホルダのアプリケーション例＞
次に、上述した携帯装着品１を、鍵または鍵に取り付けるキーホルダとした場合のアプリケーション例について説明する。
【０２４４】
携帯装着品１としての鍵（またはキーホルダ）が、スイッチ部１２（図８）、センサ１４１（図１２）、または、通信部８１（図３１）の１つ以上を備える。また、鍵の一部分が表示体１１で構成され、図９を参照して説明したアクション検出機能や、図１３を参照して説明した状態変化検出機能によって、色や模様が変更可能である。
【０２４５】
鍵が、NFC通信を行う通信部８１を備え、その鍵で開錠可能な錠前が取り付けられたドア側にもNFC通信機能が備えられている。この場合、ユーザが、鍵を用いて施錠または開錠を行ったとき、通信部８１が、ドアのNFC通信部と通信することにより、その動作を検出する。駆動制御部１３は、施錠されている状態と、開錠されている状態とで、表示体１１の色や柄を変更する。これにより、ユーザは、鍵の表示体１１に表示された色や柄を見るだけで、鍵を閉めたかどうかを確認することができ、閉め忘れを防止することができる。
【０２４６】
＜洋服のアプリケーション例＞
次に、上述した携帯装着品１を洋服とした場合のアプリケーション例について説明する。
【０２４７】
携帯装着品１としての洋服が、スイッチ部１２（図８）、センサ１４１（図１２）、または、通信部８１（図３１）の１つ以上を備える。また、洋服の生地の少なくとも一部が表示体１１で構成され、図９を参照して説明したアクション検出機能や、図１３を参照して説明した状態変化検出機能によって、洋服の色や模様が変更可能である。
【０２４８】
例えば、携帯装着品１としての洋服が、通信部８１として、人体を通信媒体として通信を行う人体通信機能を備える。人体通信の通信方式には、コンデンサと等価な２枚の電極の周りに電界を形成し、電界の変化を利用して情報を伝達する電界方式、人体に微弱な電流を出力し、電流に変調をかけて情報を伝達する電流方式など、各種の通信方式があるが、いずれかの方式に限定されず、人体を通信媒体とするものであればよい。
【０２４９】
人体通信機能を備える洋服を着用した２人のユーザが、例えば、握手をするなどして触れ合うと、２人のユーザが着用している洋服の通信部８１どうしが導通を検出する。駆動制御部１３は、通信部８１から導通の検出を示す情報に基づいて、表示体１１の色や柄を変化させる。
【０２５０】
洋服は、センサ１４１として、振動などを検出する加速度センサを備える。例えば、洋服を着用しているユーザが、ジャンプなどしたときに、センサ１４１がそれを検出して、駆動制御部１３に通知する。駆動制御部１３は、例えば、ジャンプをするたびに表示体１１の色を変えたり、動きが検出されたときだけ、所定の色に変更したりすることができる。
【０２５１】
洋服は、センサ１４１として、着脱を検出する接点検出センサを備える。この場合、駆動制御部１３は、ユーザが洋服を着ている場合と、脱いでいる場合とで、表示体１１に表示させる色や柄を変更させることができる。
【０２５２】
洋服は、センサ１４１として、周囲の音を検出するマイクロホンを備える。駆動制御部１３は、マイクロホンで検出された音量に応じて、あるいは、一定以上の音量が検出された場合に、表示体１１に表示させる色や柄を変更させる。また、駆動制御部１３は、マイクロホンで検出される音の周波数に応じて表示体１１に表示させる色や柄を変更させることもできる。これにより、例えば、男性と女性で洋服の柄を変更させたり、音楽に合わせて色を変えたりすることができる。
【０２５３】
トップ（上半身に着る服）とボトム（下半身に着る服）それぞれの洋服が、携帯装着品１としての洋服であって、通信機能を備える場合、駆動制御部１３は、トップとボトムの色や柄が同じになるように、各洋服の表示体１１を制御する。さらに、携帯装着品１としてのバングルなどとも連携して、洋服とバングルの色や柄が同じになるように制御してもよい。
【０２５４】
洋服は、センサ１４１として、洋服（生地部分）への接触を検出するタッチセンサや圧電センサを備える。例えば、タッチセンサが表示体１１の表示面に重畳されており、ユーザがタッチした領域を検出することができる。駆動制御部１３は、タッチセンサによる検出結果に基づき、ユーザがタッチした表示体１１の領域を、それ以外の領域と異なる色や模様に変更する。これにより、ユーザが触った場所が、色や模様が変わって分かるようになる。
【０２５５】
洋服は、センサ１４１として、着用しているユーザの体温を検出する温度検出センサを備える。駆動制御部１３は、温度検出センサで検出されたユーザの体温に応じて色を変えたり、一定以上の体温となったときに色を変更する制御を行う。
【０２５６】
洋服は、センサ１４１として、着用しているユーザの発汗量（湿度）を検出する湿度検出センサを備える。駆動制御部１３は、湿度検出センサの検出結果に基づいて、ユーザの発汗量を推定し、発汗量に応じて色や柄を変更するように表示体１１を駆動制御する。
【０２５７】
洋服は、センサ１４１として、光学的または電気的な方法で、着用しているユーザの心拍数を検出する心拍検出センサを備える。駆動制御部１３は、心拍検出センサの検出結果に基づいて、ユーザの心拍数が所定値以上になった場合に表示体１１の色や柄を変更する。また、駆動制御部１３は、心拍数の変化に応じて色や柄を変更するように表示体１１を駆動制御する。
【０２５８】
洋服が、体にフィットさせて着るようなタイプの洋服である場合に、センサ１４１として、圧電センサや、導通を検出するセンサなどを設けることにより、洋服が体に密着しているかどうかを検出することができる。駆動制御部１３は、洋服が体に密着していない部分の色や柄が変更されるように表示体１１を駆動制御する。体にフィットさせて着る洋服は、下着であってもよい。
【０２５９】
洋服が、赤ちゃん用の洋服（例えば、肌着）である場合に、センサ１４１として、心拍検出センサや湿度検出センサを設けることにより、赤ちゃんの呼吸や発汗を検出することができる。駆動制御部１３は、検出された赤ちゃんの呼吸の状態や発汗量に応じて、洋服の色や柄が変更されるように表示体１１を駆動制御する。
【０２６０】
以上のように、携帯装着品１としては、ユーザ（人）によって携帯または装着される様々な物品に適用して、表示体１１にいろいろな表現をさせることが可能である。
【０２６１】
なお、上述した各例において、色を変更するように表示体１１を駆動制御すると説明した例においても、単なる色の変更のみならず、柄や模様を変更するように表示体１１を制御することができる。
【０２６２】
本開示は、ユーザによって携帯または装着される携帯装着品に限らず、例えば、カーテンなどのインテリアや、車体の外装などにも適用することができる。
【０２６３】
本開示の実施の形態は、上述した実施の形態に限定されるものではなく、本開示の要旨を逸脱しない範囲において種々の変更が可能である。
【０２６４】
例えば、上述した複数の実施の形態の全てまたは一部を組み合わせた形態を採用することができる。
【０２６５】
例えば、ネットワーク上の所定の装置において１つの機能が実行されている場合には、その１つの機能をネットワークを介して複数の装置で分担、共同して処理するクラウドコンピューティングの構成をとることができる。
【０２６６】
さらに、フローチャートで説明した１つのステップに複数の処理が含まれる場合には、その１つのステップに含まれる複数の処理は、１つの装置で実行する他、複数の装置で分担して実行することができる。
【０２６７】
本明細書において、フローチャートに記述されたステップは、記載された順序に沿って時系列的に行われる場合はもちろん、必ずしも時系列的に処理されなくとも、並列に、あるいは呼び出しが行われたとき等の必要なタイミングで実行されてもよい。
【０２６８】
また、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０２６９】
なお、本明細書に記載された効果はあくまで例示であって限定されるものではなく、本明細書に記載されたもの以外の効果があってもよい。
【０２７０】
本開示は以下のような構成も取ることができる。
（１）
電気泳動型ディスプレイで構成される表示体を備え、ユーザに携帯または装着される物品である携帯装着品。
（２）
前記携帯装着品の所定の状態を検出する状態検出部を備え、
前記状態検出部の検出結果に応じて、前記電気泳動型ディスプレイの印加電圧が変更される
前記（１）に記載の携帯装着品。
（３）
前記ユーザの操作を検出する操作検出部を備え、
前記操作検出部で検出された前記ユーザの操作に応じて、前記電気泳動型ディスプレイの印加電圧が変更される
前記（１）または（２）に記載の携帯装着品。
（４）
他の通信装置と無線通信を行う通信部を備え、
前記通信部が受信した受信信号に応じて、前記電気泳動型ディスプレイの印加電圧が変更される
前記（１）または（２）に記載の携帯装着品。
（５）
前記通信部は、前記他の通信装置から、デザインデータを受信し、
前記デザインデータに基づいて前記電気泳動型ディスプレイの印加電圧が変更されることにより、前記表示体の画像が変更される
前記（４）に記載の携帯装着品。
（６）
前記通信部は、受信した前記受信信号から電力を抽出し、
抽出された前記電力を用いて、前記電気泳動型ディスプレイの印加電圧が変更される
前記（４）または（５）に記載の携帯装着品。
（７）
前記通信部は、NFC通信により、前記他の通信装置と無線通信を行う
前記（４）乃至（６）のいずれかに記載の携帯装着品。
（８）
前記携帯装着品は、バッグである
前記（１）乃至（７）のいずれかに記載の携帯装着品。
（９）
前記バッグは、多面体形状と平面形状に形状を変更することが可能である
前記（８）に記載の携帯装着品。
（１０）
前記電気泳動型ディスプレイの上面に、所定の模様または文字が描かれたフィルムが貼り付けられている
前記（１）乃至（９）のいずれかに記載の携帯装着品。
（１１）
前記表示体は、前記電気泳動型ディスプレイの表面側にカラーフィルタを備える
前記（１）乃至（１０）のいずれかに記載の携帯装着品。
（１２）
前記電気泳動型ディスプレイの印加電圧を制御する駆動制御部を少なくとも含む制御端末が前記表示体と分離されており、前記制御端末で前記表示体を挟み込むことにより、前記制御端末の接続端子が前記電気泳動型ディスプレイの電極層と接続される
前記（１）乃至（１１）のいずれかに記載の携帯装着品。
（１３）
帯状または紐状の前記表示体が編み込まれている
前記（１）乃至（１２）のいずれかに記載の携帯装着品。
（１４）
前記電気泳動型ディスプレイは、複数のセグメントを有する
前記（１）乃至（１３）のいずれかに記載の携帯装着品。
（１５）
前記複数のセグメントは、２次元アレイ状に配列されている
前記（１４）に記載の携帯装着品。
（１６）
前記表示体は、前記電気泳動型ディスプレイの裏面側でも表示を行う
前記（３）乃至（７）、（１４）または（１５）のいずれかに記載の携帯装着品。
（１７）
前記表示体は、前記電気泳動型ディスプレイの裏面側にカラーフィルタを備える
前記（１６）に記載の携帯装着品。
（１８）
ユーザに携帯または装着される物品である携帯装着品と、端末装置とからなり、
前記携帯装着品は、
前記端末装置と無線通信を行う通信部と
電気泳動型ディスプレイで構成され、前記通信部により受信されたデザインデータに基づく表示を行う表示体と
を備え、
前記端末装置は、前記デザインデータを前記通信部に送信する
通信システム。
（１９）
前記端末装置は、前記デザインデータを作成するデザインデータ作成部をさらに備える  前記（１８）に記載の通信システム。
（２０）
前記デザインデータ作成部は、前記携帯装着品のセグメントデータに基づいて、前記デザインデータを作成する
前記（１９）に記載の通信システム。
【符号の説明】
【０２７１】
１  携帯装着品，  １１  表示体，  １２  スイッチ部，  １３  駆動制御部，  １４  バッテリ，  ３５  カラーフィルタ，  ３２  透明電極層，  ３６  電極層，  ４１A,４１B  接続端子，  ６１  コントロール端末，  ８１  通信部，  １０３  端末装置，  １２１  面，  １４１  センサ，  １５１  面，  １６１  表示部，  １６２  フィルム，  １８１  表示部，  ２０１  単位シート，  ２０２  接続端子
【図１】
2020016895.tif 000003
【図２】
2020016895.tif 000004
【図３】
2020016895.tif 000005
【図４】
2020016895.tif 000006
【図５】
2020016895.tif 000007
【図６】
2020016895.tif 000008
【図７】
2020016895.tif 000009
【図８】
2020016895.tif 000010
【図９】
2020016895.tif 000011
【図１０】
2020016895.tif 000012
【図１１】
2020016895.tif 000013
【図１２】
2020016895.tif 000014
【図１３】
2020016895.tif 000015
【図１４】
2020016895.tif 000016
【図１５】
2020016895.tif 000017
【図１６】
2020016895.tif 000018
【図１７】
2020016895.tif 000019
【図１８】
2020016895.tif 000020
【図１９】
2020016895.tif 000021
【図２０】
2020016895.tif 000022
【図２１】
2020016895.tif 000023
【図２２】
2020016895.tif 000024
【図２３】
2020016895.tif 000025
【図２４】
2020016895.tif 000026
【図２５】
2020016895.tif 000027
【図２６】
2020016895.tif 000028
【図２７】
2020016895.tif 000029
【図２８】
2020016895.tif 000030
【図２９】
2020016895.tif 000031
【図３０】
2020016895.tif 000032
【図３１】
2020016895.tif 000033
【図３２】
2020016895.tif 000034
【図３３】
2020016895.tif 000035
【図３４】
2020016895.tif 000036
【図３５】
2020016895.tif 000037
【図３６】
2020016895.tif 000038
【図３７】
2020016895.tif 000039
【図３８】
2020016895.tif 000040
【図３９】
2020016895.tif 000041
【図４０】
2020016895.tif 000042
【図４１】
2020016895.tif 000043
【図４２】
2020016895.tif 000044